(57)【要約】      （修正有）【課題】構造がシンプルであり、安定的に支持でき、簡便に使用できるという利点があり、頸椎の牽引及び頸椎前弯の矯正を効果的に達成し、頸椎症を治療し、病状を緩和させる牽引機能付き枕を提供する。【解決手段】牽引機能付き枕は、枕本体１、第１の支持面２、第２の支持部３、及び支持カラムを備える。枕本体１の一方側は肩、首に密着する傾斜曲面をなし、枕本体１の傾斜曲面の高端部は、両側が高く中央が低いＭ字形である。第１の支持面２は傾斜曲面の低端部に設けられ、且つ載置面と面一になる。第２の支持部３は傾斜曲面の高端部の両側に設けられる。支持カラムは、第１の支持面２の第２の支持部３に近い側に設けられ、支持カラムの一端が枕本体１の受力中心に当接する。【選択図】図１
0003230799.tif 000002
【実用新案登録請求の範囲】
【請求項１】
枕本体（１）、第１の支持面（２）、第２の支持部（３）、及び支持カラム（４）を備え、
前記枕本体（１）の一方側は、肩、首に密着する傾斜曲面をなし、前記枕本体（１）の傾斜曲面の高端部は、両側が高く中央が低いＭ字形であり、
前記第１の支持面（２）は、傾斜曲面の低端部に設けられ、載置面と面一になり、
前記第２の支持部（３）は、傾斜曲面の高端部の両側に設けられ、
前記支持カラム（４）は、前記第１の支持面（２）の前記第２の支持部（３）に近い側に設けられ、前記支持カラム（４）の一端が前記枕本体（１）の受力中心に当接する、
ことを特徴とする牽引機能付き枕。
【請求項２】
前記枕本体（１）の傾斜曲面には、首部の曲線に対応する複数の押圧凸点（５）がさらに設けられる、
ことを特徴とする請求項１に記載の牽引機能付き枕。
【請求項３】
前記枕本体（１）における前記支持カラム（４）を向く側であって受力中心に対応する箇所には、補強部材（６）がさらに設けられる、
ことを特徴とする請求項１に記載の牽引機能付き枕。
【請求項４】
前記枕本体（１）の材料が、半硬質スキン層付きポリウレタンフォームである、
ことを特徴とする請求項１に記載の牽引機能付き枕。
【請求項５】
前記枕本体（１）、前記第１の支持面（２）、前記第２の支持部（３）及び前記支持カラム（４）は一体成形されている、
ことを特徴とする請求項１に記載の牽引機能付き枕。
【考案の詳細な説明】
【技術分野】
【０００１】
本考案は、ヘルスケア機器の技術分野に関し、具体的には、牽引機能付き枕に関する。
【背景技術】
【０００２】
枕は、生活必需品であり、人間は１／３の時間だけ睡眠状態にあり、現代人の生活や仕事の習慣により首部の疾患がしばしば発生し、首部の痛み、不眠症や頸椎症などが人の体の健康を深刻に損なう。
【０００３】
従来の枕及びほとんどの頸椎用枕は、通常、直方体であり、枕の内部に綿又は他の充填物が充填れており、そして、このような枕は、頭部のみに対して設計されるものであり、首部に対して設計されるものがない。このような枕は、頸椎の正常な生理曲線を維持するように首部に支え力を供給することができず、したがって、改良が期待される。
【考案の概要】
【考案が解決しようとする課題】
【０００４】
本考案の目的は、従来技術の欠陥及び欠点に対して、構造がシンプルであり、安定的に支持でき、簡便に使用できるという利点を有し、頸椎牽引及び頸椎前弯の矯正を効果的に達成でき、頸椎症を治療し、病状を緩和させるという役割を果たす牽引機能付き枕を提供することである。
【課題を解決するための手段】
【０００５】
上記目的を実現するために、本考案が採用する技術案は以下のとおりである。牽引機能付き枕は、枕本体、第１の支持面、第２の支持部、及び支持カラムを備える。前記枕本体の一方側は、肩、首に密着する傾斜曲面をなし、前記枕本体の傾斜曲面の高端部は、両側が高く中央が低いＭ字形である。前記第１の支持面は、傾斜曲面の低端部に設けられ、載置面と面一になる。前記第２の支持部は、傾斜曲面の高端部の両側に設けられる。前記支持カラムは、前記第１の支持面の前記第２の支持部に近い側に設けられ、前記支持カラムの一端が前記枕本体の受力中心に当接する。
【０００６】
本考案のさらなる形態として、前記枕本体の傾斜曲面には、首部の曲線に対応する複数の押圧凸点がさらに設けられる。
【０００７】
本考案のさらなる形態として、前記枕本体における前記支持カラムを向く側であって受力中心に対応する箇所には、補強部材がさらに設けられる。
【０００８】
本考案のさらなる形態として、前記枕本体の材料が、半硬質スキン層付きポリウレタンフォームである。
【０００９】
本考案のさらなる形態として、前記枕本体、前記第１の支持面、前記第２の支持部及び前記支持カラムは一体成形されている。
【考案の効果】
【００１０】
上記技術案を用いると、本考案の有益な効果は以下のとおりである。
【００１１】
本考案における牽引機能付き枕は、構造がシンプルであり、安定的に支持でき、組み立てる必要がなく、ケーブルがなく、簡便に使用でき、患者が家で定期的に使用することに非常に適しており、慢性疼痛の緩和に役立ち、頭部、肩部及び首部の重量を利用して正確な牽引力を提供する。このため、非常に安全であり、且つ、枕本体の傾斜曲面という特殊な設計により頸椎の自然曲線を支え、首部の筋肉を軽く引っ張り、それにより、頸椎牽引及び頸椎前弯の矯正という役割を効果的に果たし、頸椎症を治療し、病状を緩和させるという効果がある。
【図面の簡単な説明】
【００１２】
本考案の実施例又は従来技術の技術案を明確に説明するために、以下、実施例又は従来技術の説明に必要な図面を簡単に説明するが、明らかなように、以下の説明における図面は、本考案の実施例の一部に過ぎず、当業者であれば、創造的な努力を必要とせずに、これらの図面に基づいて他の図面を得ることができる。
【図１】本考案の構造模式図である。
【図２】本考案の別の構造模式図である。
【考案を実施するための形態】
【００１３】
以下、図面を参照しながら本考案をさらに詳細に説明する。
【００１４】
本特定実施例は、本考案を解釈するものに過ぎず、本考案を制限するものではなく、当業者が本明細書に基づいて必要に応じて本実施例に対して進歩性のない修正を行うことができ、これらの修正は、本考案の実用新案登録請求の範囲内である限り、特許法又は実用新案法により保護される。
【００１５】
本実施例は、牽引機能付き枕に関し、図１及び図２に示すように、前記牽引機能付き枕は、枕本体１、第１の支持面２、第２の支持部３、及び支持カラム４を備える。枕本体１の一方側が、肩、首に密着する傾斜曲面をなし、第１の支持面２は、傾斜曲面の低端部に設けられ、載置面と面一になる。第２の支持部３は、傾斜曲面の高端部の両側に設けられる。支持カラム４は、第１の支持面２の第２の支持部３に近い側に設けられ、且つ、支持カラム４と両側にある第２の支持部３は、安定的な三角形構造を構成し、使用者の頭部や首部を安定的に支える役割を果たす。なお、支持カラム４の一端が枕本体１の受力中心に当接し、それにより、使用中に枕本体１が窪むことを防止することに有利であり、首に対して良好な牽引引張り効果を果たす。
【００１６】
本実施例では、図１に示すように、枕本体１の傾斜曲面の高端部は、両側が高く中央が低いＭ字形であり、このように、さらに首に密着できるとともに、首部に対して制限・固定の役割を果たし、使用者が正確に使用するように指導することにも有利である。第２の支持部３と枕本体１は円弧状をもって接続され、使用するときに首が枕本体１の傾斜曲面に密着し、頭部が枕本体１の第２の支持部３に近い端に当接し、それにより、頭部、肩部及び首部の重量を利用して正確な牽引力を提供する。このため、安全に使用でき、且つ枕本体１の傾斜曲面という特殊な設計により頸椎の自然曲線を支え、首部の筋肉を軽く引っ張り、頸椎の牽引及び頸椎前弯の矯正という役割を果たし、頸椎症を治療し、病状を緩和させるという効果を奏する。
【００１７】
図１に示すように、枕本体１の傾斜曲面には、首部の曲線に対応する複数の押圧凸点５がさらに設けられる。このため、使用する際に、押圧凸点５を通じて頸椎の両側の筋肉を押圧してリラックスさせ、筋肉の疲労を緩和させることもできる。本実施例では、枕本体１の材料は、半硬質スキン層付きポリウレタンフォームであり、高い密度及び高い圧縮強度を有し、支持性を備えるとともに、緩衝性及び僅かな弾性を有し、それにより、使い心地を大幅に向上させる。
【００１８】
なお、枕本体１、第１の支持面２、第２の支持部３、補強部材６及び支持カラム４はすべて一体成形されている。図２に示すように、枕本体１における支持カラム４を向く側であって受力中心に対応する箇所には、補強部材６がさらに設けられ、また、２つの第２の支持部３は円弧状をもって接続され、それにより、この牽引機能付き枕の構造安定性がさらに高まり、使用効果がさらに確保される。
【００１９】
本考案の作動原理は以下のとおりである。本実施例における牽引機能付き枕は、構造がシンプルであり、安定的に支持でき、組み立てる必要がなく、ケーブルがなく、簡便に使用でき、患者が家で定期的に使用することに非常に適しており、慢性疼痛の緩和に役立ち、頭部、肩部及び首部の重量を利用して正確な牽引力を提供する。このため、非常に安全であり、且つ、枕本体１の傾斜曲面という特殊な設計により頸椎の自然曲線を支え、首部の筋肉を軽く引っ張り、それにより、頸椎牽引及び頸椎前弯の矯正という役割を効果的に果たし、頸椎症を治療し、病状を緩和させるという効果がある。
【００２０】
以上は、本考案の技術案を説明するために過ぎず、限定的なものではなく、当業者が本考案の技術案に対して行う他の修正や等同置換は、本考案の技術案の主旨及び範囲を逸脱しない限り、本考案の実用新案登録請求の範囲に含まれるものとする。
【符号の説明】
【００２１】
１  枕本体
２  第１の支持面
３  第２の支持部
４  支持カラム
５  押圧凸点
６  補強部材
【図１】
0003230799.tif 000003
【図２】
0003230799.tif 000004